(57)【要約】【課題】水掛装置の旋回枠を回転させるモータの出力軸にギヤを介して水滴が伝わるのを防ぎ、モータ内部への水の侵入を防止できる加湿装置を提供する。【解決手段】加湿フィルタと、加湿フィルタの下方に配置された水トレーと、水トレーから水を汲み上げて加湿フィルタに掛けるための旋回枠を有する水掛装置６０と、水掛装置の旋回枠をギヤ１３０を介して回転させるギヤードモータとを備える。上記ギヤ１３０は、複数の歯１３２が外周に形成された有底の円筒部１３１と、円筒部１３１の底部１３３の中央から開口側に延び、モータ７４の出力軸が連結された軸部１３４と、軸部１３４を囲うように円筒部１３１の底部１３３に立設され、円筒部１３１の開口まで軸方向外側に向かって延びた円筒形状のリブ１３５とを有する。【選択図】図１７
2010054099.tif 000002
【特許請求の範囲】
【請求項１】
加湿フィルタ(４０)と、
上記加湿フィルタ(４０)の下方に配置された水トレー(９０)と、
上記水トレー(９０)から水を汲み上げて上記加湿フィルタ(４０)に掛けるための旋回枠(６５,１６５)を有する水掛装置(６０)と、
上記水掛装置(６０)の旋回枠(６５,１６５)をギヤ(１３０,２３０)を介して回転させるモータ(７４)と
を備え、
上記ギヤ(１３０,２３０)は、
複数の歯(１３２,２３２)が外周に形成された有底の円筒部(１３１,２３１)と、
上記円筒部(１３１,２３１)の底部(１３３,２３３)の中央から開口側に延び、上記モータ(７４)の出力軸が連結された軸部(１３４,２３４)と、
上記軸部(１３４,２３４)を囲うように上記円筒部(１３１,２３１)の底部(１３３,２３３)に立設され、少なくとも上記円筒部(１３１,２３１)の開口よりも軸方向外側に向かって延びた円筒形状のリブ(１３５,２３５)と
を有することを特徴とする加湿装置。
【請求項２】
請求項１に記載の加湿装置において、
上記円筒形状のリブ(１３５,２３５)の根元側かつ上記リブ(１３５,２３５)の外周側にエッジを有することを特徴とする加湿装置。
【請求項３】
請求項１または２に記載の加湿装置において、
上記円筒部(２３１)の底部(２３３)の上記モータ(７４)側かつ上記リブ(２３５)の外周側に、エッジを有する環状の凹部(２３６,２３７)を形成したことを特徴とする加湿装置。
【請求項４】
請求項１から３までのいずれか１つに記載の加湿装置において、
上記水掛装置(６０)の旋回枠(６５,１６５)の外周側に、上記モータ(７４)の出力軸に連結された上記ギヤ(１３０)が噛合する歯車(７９)が設けられ、
上記旋回枠(６５,１６５)の歯車(７９)の歯元側かつ半径方向内側に、環状の溝(１４１,１４２)を設けたことを特徴とする加湿装置。
【請求項５】
請求項４に記載の加湿装置において、
上記旋回枠(１６５)の歯車(１７９)は、上記旋回枠(１６５)の外周側に設けられた旋回枠側円筒部(１７９a)と、上記旋回枠側円筒部(１７９a)の半径方向外側に配列された複数の歯(１７９b)を有し、
上記旋回枠(６５,１６５)の環状の溝(１４１)は、上記歯車(１７９)の上記旋回枠側円筒部(１７９a)の一方の端面に設けられていることを特徴とする加湿装置。
【請求項６】
請求項４に記載の加湿装置において、
上記旋回枠(６５)の歯車(７９)は、上記旋回枠(６５)の外周側に設けられた旋回枠側円筒部(７９a)と、上記旋回枠側円筒部(７９a)の半径方向外側に配列された複数の歯(７９b)を有し、
上記旋回枠(６５)は、上記歯車(７９)の上記旋回枠側円筒部(７９a)の一方の端面側から半径方向内側に設けられたフランジ部(６７)と、上記フランジ部(６７)の上記旋回枠側円筒部(７９a)の内側に軸方向に沿って立設され、上記旋回枠側円筒部(７９a)の他方の端面よりも軸方向外側に延びる円筒形状の旋回枠側リブ(１４０)とを有し、
上記旋回枠(６５)の環状の溝(１４１)は、上記旋回枠側円筒部(７９a)と上記旋回枠側リブ(１４０)によって、上記旋回枠側円筒部(７９a)と上記旋回枠側リブ(１４０)との間に形成されていることを特徴とする加湿装置。
【発明の詳細な説明】
【技術分野】
【０００１】
この発明は、加湿装置に関する。
【背景技術】
【０００２】
従来、加湿装置としては、円板形状の加湿フィルタが取り付けられた枠体に桶部を設けて、モータによりギヤを介して枠体と共に加湿フィルタを回転させることにより、下側の水槽から桶部により水を汲み上げて加湿フィルタに掛けるものがある(例えば、実開昭５５−６９６４３号公報(特許文献１)参照)。
【０００３】
ところが、上記加湿装置では、ギヤにも水が掛かって、そのギヤが連結されたモータの出力軸に水滴が伝わり、モータ内部に侵入して不具合が発生するという問題がある。
【特許文献１】実開昭５５−６９６４３号公報
【発明の開示】
【発明が解決しようとする課題】
【０００４】
そこで、この発明の課題は、水掛装置の旋回枠を回転させるモータの出力軸にギヤを介して水滴が伝わるのを防ぎ、モータ内部への水の侵入を防止できる加湿装置を提供することにある。
【課題を解決するための手段】
【０００５】
上記課題を解決するため、この発明の加湿装置は、
加湿フィルタと、
上記加湿フィルタの下方に配置された水トレーと、
上記水トレーから水を汲み上げて上記加湿フィルタに掛けるための旋回枠を有する水掛装置と、
上記水掛装置の旋回枠をギヤを介して回転させるモータと
を備え、
上記ギヤは、
複数の歯が外周に形成された有底の円筒部と、
上記円筒部の底部の中央から開口側に延び、上記モータの出力軸が連結された軸部と、
上記軸部を囲うように上記円筒部の底部に立設され、少なくとも上記円筒部の開口よりも軸方向外側に向かって延びた円筒形状のリブと
を有することを特徴とする。
【０００６】
上記構成の加湿装置によれば、複数の歯が外周に形成された有底の円筒部と、上記円筒部の底部の中央から開口側に延び、モータの出力軸が連結された軸部とを有するギヤにおいて、少なくとも上記円筒部の開口よりも軸方向外側に延びた円筒形状のリブを、軸部を囲うように円筒部の底部に立設することによって、ギヤの円筒部の歯の間に溜まった水滴が落下しても、円筒形状のリブの外周に沿って流れ落ちて、ギヤの円筒部下端から落ちる。これにより、水掛装置の旋回枠を回転させるモータの出力軸にギヤを介して水滴が伝わるのを防いで、モータ内部への水の侵入を防止できる。
【０００７】
また、一実施形態の加湿装置では、上記円筒形状のリブの根元側かつ上記リブの外周側にエッジを有する。
【０００８】
上記実施形態によれば、上記ギヤの円筒形状のリブの根元側かつそのリブの外周側に、表面張力により水が溜まりやすいエッジを有することによって、そのエッジに溜まった水がエッジに沿って下方に案内されて流れ落ちるので、モータの出力軸にギヤを介して水滴が伝わるのをより確実に防止できる。
【０００９】
また、一実施形態の加湿装置では、上記円筒部の底部の上記モータ側かつ上記リブの外周側に、エッジを有する環状の凹部を形成した。
【００１０】
上記実施形態によれば、上記ギヤの円筒部の底部のモータ側かつリブの外周側に、表面張力により水が溜まりやすいエッジを有する環状の凹部を形成することによって、環状の凹部のエッジに溜まった水がエッジに沿って下方に案内されて流れ落ちるので、モータの出力軸にギヤを介して水滴が伝わるのをより確実に防止できる。
【００１１】
また、一実施形態の加湿装置では、
上記水掛装置の旋回枠の外周側に、上記モータの出力軸に連結された上記ギヤが噛合する歯車が設けられ、
上記旋回枠の歯車の歯元側かつ半径方向内側に、環状の溝を設けた。
【００１２】
上記実施形態によれば、上記旋回枠の歯車の歯元側かつ半径方向内側に、環状の溝を設けることによって、水トレーから水が旋回枠の歯車に伝わっても、環状の溝に案内されて下方に流れ落ちるので、歯車に付着した水が滴下して風により吹き飛ばされるのを防止できる。
【００１３】
また、一実施形態の加湿装置では、
上記旋回枠の歯車は、上記旋回枠の外周側に設けられた旋回枠側円筒部と、上記旋回枠側円筒部の半径方向外側に配列された複数の歯を有し、
上記旋回枠の環状の溝は、上記歯車の上記旋回枠側円筒部の一方の端面に設けられている。
【００１４】
上記実施形態によれば、上記旋回枠の歯車の歯を支えるために必要な旋回枠側円筒部の一方の端面に環状の溝を設けるので、溝を設けるために新たな部材を追加する必要がない。
【００１５】
また、一実施形態の加湿装置では、
上記旋回枠の歯車は、上記旋回枠の外周側に設けられた旋回枠側円筒部と、上記旋回枠側円筒部の半径方向外側に配列された複数の歯を有し、
上記旋回枠は、上記歯車の上記旋回枠側円筒部の一方の端面側から半径方向内側に設けられたフランジ部と、上記フランジ部の上記旋回枠側円筒部の内側に軸方向に沿って立設され、上記旋回枠側円筒部の他方の端面よりも軸方向外側に延びる円筒形状の旋回枠側リブとを有し、
上記旋回枠の環状の溝は、上記旋回枠側円筒部と上記旋回枠側リブによって、上記旋回枠側円筒部と上記旋回枠側リブとの間に形成されている。
【００１６】
上記実施形態によれば、上記旋回枠側円筒部と旋回枠側リブとの間に環状の溝を形成することによって、溝を設けるために新たな部材を追加する必要がなく、さらに、深い環状の溝により多くの水を下方に案内することができる。
【発明の効果】
【００１７】
以上より明らかなように、この発明の加湿装置によれば、水掛装置の旋回枠を回転させるモータの出力軸にギヤを介して水滴が伝わるのを防ぎ、モータ内部への水の侵入を防止できる加湿装置を実現することができる。
【発明を実施するための最良の形態】
【００１８】
以下、この発明の加湿装置を図示の実施の形態により詳細に説明する。
【００１９】
図１はこの発明の加湿装置の１実施形態の斜視図を示している。図１に示すように、この加湿装置は、ケーシング１を備え、このケーシング１は、ケーシング本体２と、このケーシング本体２に着脱可能に取り付けられた前面パネル３とからなる。
【００２０】
上記ケーシング１の両側面には吸込口５,５を設け(図３を参照)、ケーシング１の上面の後部に吹出口６を設けている。
【００２１】
このように、この加湿装置では、吸込口５,５をケーシング１の側面に設け、吹出口６をケーシング１の上面に設けて、ケーシング１の後面７には吸込口および吹出口を無くしているから、この加湿装置のケーシング１の後面７は、図示しない部屋の壁面に密着させることができて、この加湿装置の設置の自由度が高くなっている。
【００２２】
従来の加湿装置は、吸込口がケーシングの後面にあるため、そのケーシングと部屋の壁面との間にある程度の大きさの隙間をあけないと、吸込抵抗が大きくなるため、部屋の壁面に密着させることができなくて、その設置の自由度が低かったのである。
【００２３】
一方、図２に示すように、上記ケーシング１内には、前面側に水タンク１０を立設し、後面側にファンモータ２１で駆動されるファン２０を配置している。上記水タンク１０は、石油ストーブの油タンクと同じ周知の構造を有するもので、底部の出口に、図示しないチェック弁が設けられていて、水タンク１０を立設した状態で、チェック弁が押されて開放するものである。上記水タンク１０とファン２０との間には、前面側から順に、空気清浄フィルタユニット３０と、円板形状の加湿フィルタ４０とを配置している。
【００２４】
なお、図２において、１１１は電源用プリント基板、１１２は操作制御用プリント基板、１１３は表示用プリント基板、１１４は埃センサ、１１５は予備用フィルタ、２００は制御部である。
【００２５】
上記水タンク１０と空気清浄フィルタユニット３０とは、図２および図４に示すように、正面視で大略矩形であり、略大部分が前後方向に重なる。また、上記空気清浄フィルタユニット３０の下側の部分と加湿フィルタ４０とが前後方向に重なっている。さらに、上記水タンク１０、空気清浄フィルタユニット３０および加湿フィルタ４０の各々は、ファン２０のベルマウス２３の少なくとも一部に重なるように配置し、つまり、ベルマウス２３の少なくとも一部を覆うように配置して、ファン２０からの騒音を低減するようにしている。
【００２６】
なお、本明細書では、ベルマウス２３とは、ベルマウス２３自体の他、ベルマウス２３で囲まれる開口をも含む概念である。
【００２７】
一般に、メンテナンス頻度の高い順に並べると、上記水タンク１０、空気清浄フィルタユニット３０、加湿フィルタ４０となる。例えば、上記水タンク１０には、略毎日、水を補給しなければならなく、空気清浄フィルタユニット３０の掃除または交換は約２週間から１年半に１回必要であり、加湿フィルタ４０の交換は約２年に１回必要である。つまり、上記水タンク１０と空気清浄フィルタユニット３０と加湿フィルタ４０とのうち、水タンク１０の水補給の頻度が最も高く、次に、空気清浄フィルタユニット３０の清掃、交換等の頻度が高く、加湿フィルタ４０の清掃、交換の頻度が最も低い。すなわち、メンテナンス作業の頻度の高い順にならべると、上記水タンク１０、空気清浄フィルタユニット３０、加湿フィルタ４０となっており、この水タンク１０、空気清浄フィルタユニット３０、加湿フィルタ４０の順番は、ケーシング１の前面側、つまり、前面パネル３に近い順番でもある。
【００２８】
このように、メンテナンス頻度の高いもの程、ケーシング１の前面側、つまり、前面パネル３に近く配置しているので、この水タンク１０、空気清浄フィルタユニット３０、加湿フィルタ４０のメンテナンスの作業性が良くなっている。
【００２９】
また、上記空気清浄フィルタユニット３０は、大きな埃やペットの毛等を捕集するためのプレフィルタ３１と、埃や塵等に帯電をさせるイオン化部３２と、帯電した埃や塵等を捕集する例えばプリーツフィルタからなる集塵フィルタ３３と、タバコの臭いやペットの臭い等の悪臭成分を捕集する脱臭フィルタ３４とを含む。上記プレフィルタ３１、イオン化部３２、集塵フィルタ３３および脱臭フィルタ３４は、ケーシング１の前面側から順に、略一直線状に配列している。したがって、上記水タンク１０、プレフィルタ３１、イオン化部３２、集塵フィルタ３３、脱臭フィルタ３４および加湿フィルタ４０は、ケーシング１の前面側から順に、配列していることになる。
【００３０】
一方、一般に、メンテナンス頻度の高い順に並べると、上記水タンク１０、プレフィルタ３１、イオン化部３２、集塵フィルタ３３、脱臭フィルタ３４および加湿フィルタ４０となる。例えば、上記水タンク１０には、略毎日、水を補給しなければならなく、プレフィルタ３１の清掃の頻度は、約２週間に１回であり、イオン化部３２のメンテナンスの頻度は、約半年に１回であり、集塵フィルタ３３の清掃または交換の頻度は、約１年に１回であり、脱臭フィルタ３４の清掃の頻度は、約１年半に１回であり、加湿フィルタ４０の交換は約２年に１回必要である。メンテナンス作業の頻度の高いもの順に並べると、上記水タンク１０、プレフィルタ３１、イオン化部３２、集塵フィルタ３３、脱臭フィルタ３４、加湿フィルタ４０となり、この水タンク１０、プレフィルタ３１、イオン化部３２、集塵フィルタ３３、脱臭フィルタ３４、加湿フィルタ４０の順番は、ケーシング１の前面側、つまり、前面パネル３に近い順番でもある。
【００３１】
このように、メンテナンス頻度の高いもの程、ケーシング１の前面側、つまり、前面パネル３に近く配置しているので、この水タンク１０、プレフィルタ３１、イオン化部３２、集塵フィルタ３３、脱臭フィルタ３４および加湿フィルタ４０の各々のメンテナンスの作業性は、メンテナンス作業の頻度がより低いものが、メンテナンス作業の頻度のより高いものの邪魔をすることがないので、良くなっている。
【００３２】
また、上記イオン化部３２は、加湿フィルタ４０よりも空気流の上流側に配置しているので、イオン化部３２に付着した埃、塵が、加湿フィルタ４０からの水分を含むことがなく、したがって、放電不良を防止できるようになっている。
【００３３】
また、上記脱臭フィルタ３４は、加湿フィルタ４０よりも空気流の上流側に配置されているから、加湿フィルタ４０からの水分が脱臭フィルタ３４の吸着穴を埋めてしまうことがなく、したがって、脱臭性能の低下を防止できるようになっている。
【００３４】
なお、上記集塵フィルタ３３は、表面積の大きなプリーツフィルタであるため、通風抵抗を低減できる。
【００３５】
一方、上記水タンク１０の後面１１は、図３に示すように、吸込口５,５から吸い込んだ空気を案内するガイド面として兼用して、独立したガイド部材を不要として、加湿装置の前後方向の寸法を小さくしている。
【００３６】
詳しくは、上記水タンク１０は、図３に示すように、水平断面が略台形状をしており、側部から中央部にかけて徐々に厚さが厚くなるように、後面１１は、両側の傾斜面１２,１２と中央の平坦面１３とからなる。
【００３７】
上記水タンク１０の後面１１の傾斜面１２,１２は、ケーシング１の吸込口５,５から吸い込んだ空気を徐々に空気清浄フィルタユニット３０のプレフィルタ３１へ向けて案内して、通風抵抗を低減する。
【００３８】
尤も、上記傾斜面１２,１２に代えて、吸込口５からの空気を徐々にプレフィルタ３１に向けて案内する図示しない湾曲面を用いてもよい。
【００３９】
また、上記水タンク１０の平坦面１３を有する中央部は、側部よりも厚くして、中央のデッドスペースとなる箇所を水タンク１０の中央部に有効に利用して、タンク容量を大きくしている。
【００４０】
一方、上記空気清浄フィルタユニット３０のプレフィルタ３１、イオン化部３２、集塵フィルタ３３および脱臭フィルタ３４、並びに、加湿フィルタ４０は、前後方向に部分的に重ねて、略一直線状に配列して、吸込口５から吸い込んだ空気流の屈曲回数を少なくして、通風抵抗を小さくしている。
【００４１】
一方、図２および図４に示すように、上記空気清浄フィルタユニット３０の脱臭フィルタ３４および集塵フィルタ３３等は、ファン２０のベルマウス２３全体に重ねる一方、加湿フィルタ４０は、ベルマウス２３の下側の部分に重ねるが、ベルマウス２３の上側の部分には重ねない。したがって、上記脱臭フィルタ３４の上側の部分からベルマウス２３の上側の部分に至る非加湿通路５１を流れる空気は、加湿フィルタ４０を経由しないので、非加湿通路５１を流れる空気の通風抵抗を低減でき、特に、加湿運転を行わないで空気清浄運転のみを行う場合に、十分な風量(空気量)を確保できるようになっている。
【００４２】
一方、上記空気清浄フィルタユニット３０の脱臭フィルタ３４の下側の部分から加湿フィルタ４０への加湿通路５２と、上記脱臭フィルタ３４の上側の部分からファン２０のベルマウス２３の上側の部分に至る非加湿通路５１とを、仕切り板５０で仕切っている。
【００４３】
この仕切り板５０により、加湿通路５２から非加湿通路５１への空気の流れを防止して、つまり、加湿通路５２から加湿フィルタ４０をバイパスする空気の流れを防止して、加湿通路５２に流れる空気の殆どを加湿フィルタ４０に流して、大きな加湿量を得ることができるようにしている。
【００４４】
もし、この仕切り板５０が存在しないと、図５の模式図で示す比較例のように、加湿通路５２を流れる空気流Ａ３が非加湿通路５１に流入して、加湿フィルタ４０をバイパスするから、加湿量が少なくなるのである。
【００４５】
また、上記仕切り板５０は、空気清浄フィルタユニット３０の脱臭フィルタ３４からファン２０の近傍まで延びている。あるいは、図示しないが、上記仕切り板５０は、脱臭フィルタ３４からベルマウス２３の近傍まで延びていてもよい。
【００４６】
これにより、上記加湿フィルタ４０を出た加湿空気と、非加湿通路５１を流れる非加湿空気との衝突による乱流を防止して、通風抵抗を低減し、また、騒音を低減するようにしている。
【００４７】
これを図６および図７の模式図で具体的に説明すると、ファン２０の近傍迄延びる仕切り板５０により、非加湿通路５１と加湿通路５２が分離されるから、非加湿通路５１を流れる空気流Ａ１と加湿通路５２を流れる空気流Ａ２との衝突が防止でき、したがって、衝突による乱流を防止できて、通風抵抗を低減でき、騒音を低減できるのである。
【００４８】
尤も、図８の変形例に示すように、仕切り板５８は、空気清浄フィルタユニット３０から加湿フィルタ４０の箇所迄延びるものであってもよい。
【００４９】
こうすることによっても、上記仕切り板５８によって、加湿フィルタ４０をバイパスする空気流を防止して、加湿フィルタ４０に十分に空気を通過させて、大きな加湿量を得ることができる。
【００５０】
また、図４に示すように、上記仕切り板５０は、水平部５３,５４と、それらの水平部５３,５４を連結する傾斜部５５とからなって、加湿フィルタ４０および水掛装置６０に略沿うようにしている。
【００５１】
一方、上記加湿フィルタ４０は、例えば、不織布等からなり、いわゆる気化フィルタ等であって、空気を通過させ、この通過する空気に気化した水分で加湿する。この加湿フィルタ４０は、図２〜図４に示すように、円板形状をしていて、水掛装置６０に固定している。
【００５２】
この水掛装置６０のバケット部６１は、図２および図３に模式的に示すように、加湿フィルタ４０の空気流の上流側に向けて水を掛けるように、加湿フィルタ４０に水を掛けるときに、バケット部６１の第１の開口８１近傍、かつ、加湿フィルタ４０側の内面６２が空気流の上流側が下になるように、傾斜している。
【００５３】
上記水掛装置６０は、図９に示すように、支持脚部６３と旋回枠６５とバケット部６１,６１,…とを有する。上記支持脚部６３に、旋回枠６５を鉛直面に沿って旋回自在に取り付けている。より詳しくは、上記旋回枠６５の中心のボス部６６を支持脚部６３の上部の軸受部６４により旋回自在に支持している。
【００５４】
図１０に示すように、上記旋回枠６５は、ボス部６６と、輪状円板部６７と、この輪状円板部６７とボス部とを連結する放射状の複数のアーム部６８,６８,…とを有する。上記アーム部６８,６８,…同士をリング部６９で連結して補強をしている。
【００５５】
図１０および図１１に示すように、上記旋回枠６５の輪状円板部６７の一方の端面には、複数のバケット部６１,６１,…を円周上等間隔に設けている。そして、図１０および図１１では、上記加湿フィルタ４０を示していないが、バケット部６１とバケット部６１との間に加湿フィルタ４０の外周面が旋回枠６５から露出するようにしている。
【００５６】
これにより、上記バケット部６１とバケット部６１との間において、旋回枠６５から露出している加湿フィルタ４０の外周面から、バケット部６１から放出された水を滲みこませることができて、加湿量が増大できるようになっている。
【００５７】
また、上記輪状円板部６７の外周部に歯車７９を形成し、この歯車７９に図２に示すモータの一例としてのギヤードモータ７４の出力軸に連結されたギヤ１３０(図１６に示す)を噛合して、旋回枠６５をギヤードモータ７４で駆動できるようにしている。
【００５８】
上記ギヤードモータ７４は、図２に示すように、加湿フィルタ４０に、空気流の流通方向に重ならないように配置して、ギヤードモータ７４が、加湿フィルタ４０を通る空気流の邪魔にならないようにしている。
【００５９】
これにより、上記加湿フィルタ４０を通過する空気量が増大して、加湿量を増大できるようになっている。
【００６０】
また、図１０および図１１に詳細に示すように、上記旋回枠６５の輪状円板部６７の内周側には、断続的に内フランジ部７１,７１,…を設けると共に、各バケット部６１の旋回方向前方に向いた第１の開口８１の近傍から半径方向内側に向けて延びる略爪状の保持部７５を設けている。また、上記各バケット部６１の風上側の側壁６１aに、保持部７５に連なる縁から旋回方向後方に向かってくの字形状に屈曲する第２の開口８２を設けている。上記輪状円板部６７の内フランジ部７１,７１,…と保持部７５,７５,…によって、図１０および図１１には示していないが、図２および３に示す加湿フィルタ４０の両端面を拘束して保持すると共に、上記輪状円板部６７の内周面７６とバケット部６１の内周側の面７７によって、加湿フィルタ４０の外周を保持している(図１５参照)。
【００６１】
さらに、上記旋回枠６５のアーム部６８,６８,…の各々には、線状のリブ部８９を設けて、図示しないが、このリブ部８９を加湿フィルタ４０に食い込ませて、この加湿フィルタ４０を旋回枠６５とともに回転させるようにしている。
【００６２】
上記保持部７５は、加湿フィルタ４０の前面を保持する他に、水ガイドとしての役目を兼ねて、バケット部６１の第１,第２の開口８１,８２から排出された水を加湿フィルタ４０の前面を半径方向内側にガイドする。ここで、バケット部６１の水は、主に第２の開口８２から排出される。
【００６３】
したがって、上記バケット部６１の第１,第２の開口８１,８２から排出された水は、保持部７５により、加湿フィルタ４０の前面を半径方向内側に迅速に導かれて、広い範囲に速く行き亘り、加湿量を増大できる。
【００６４】
また、図１０および図１１に示すように、上記バケット部６１の第１の開口８１の旋回枠６５の回転方向の前方に位置する輪状円板部６７の部分７８は、開口８１からの水が加湿フィルタ４０に行かないで空気流の後方に行くのを遮る壁部として機能する。
【００６５】
この輪状円板部６７の部分である壁部７８は、バケット部６１の第１の開口８１から排出された水が、加湿フィルタ４０に行かないで、空気流と共に加湿フィルタ４０よりも後方に行くのを防止して、第１の開口８１からの水を加湿フィルタ４０へ案内する。
【００６６】
したがって、この壁部７８は、加湿フィルタ４０の後方への水飛びを防止して、加湿量を増大でき、かつ、ファン２０および吹出口６からの水飛びを防止できる。
【００６７】
また、図２および図１２に示すように、上記水掛装置６０のバケット部６１は、加湿フィルタ４０に水を掛けるときに、第１,第２の開口８１,８２の近傍、かつ、加湿フィルタ４０側の内面６２が空気流の上流側(図２,図１２において右側)が下になるように傾斜している。
【００６８】
このように、上記加湿フィルタ４０に第１,第２の開口８１,８２から水を掛けるときに、バケット部６１の第１,第２の開口８１,８２の近傍、かつ、加湿フィルタ４０側の内面６２が空気流の上流側が下になるように傾斜しているから、第１,第２の開口８１,８２から排出される水は、空気流の上流側に向いた速度成分を有する。そのため、上記加湿フィルタ４０の厚さ方向の上流側の部分に水が掛けられ、さらに、その掛けられた水が空気流と共に加湿フィルタ４０の厚さ方向の下流側の部分にも行き亘ることになって、結局、加湿フィルタ４０の厚さ方向の全体に水が行き亘って、大きな加湿量を得ることができる。
【００６９】
なお、図１２に示す実施形態では、バケット６１の加湿フィルタ４０側の内面は、第１,第２の開口８１,８２近傍の加湿フィルタ４０側の内面６２と、その内面６２よりも奥に位置する内面７２との２段になっているが、この加湿フィルタ４０側の内面は、内面６２およびその延長面からなる一段にしてもよい。また、上記バケット６１の内面６２と内面７２には、壁部７８に連なる湾曲凹面６２a,７２aを形成している。これにより、バケット６１により汲み上げられた水が、バケット６１内からスムーズに第１,第２の開口８１,８２から排出される。
【００７０】
さらに、図２および図１１に示すように、上記加湿フィルタ４０の厚さ方向のバケット部６１の第１の開口８１の幅は、加湿フィルタ４０の厚さ寸法よりも小さく、かつ、上記バケット部６１の第１の開口８１は、加湿フィルタ４０の厚さ方向の上流側の部分に対応している(図１１においては、加湿フィルタ４０は示されていないが、この加湿フィルタ４０は、内フランジ部７１と保持部７５との間に挟まれている。)。
【００７１】
そのため、上記バケット部６１の第１,第２の開口８１,８２から排出された水は、加湿フィルタ４０の厚さ方向の空気流の上流側の部分に掛けられる一方、加湿フィルタ４０の厚さ方向の空気流の下流側の部分に直接掛けられないようになっている。
【００７２】
したがって、水が掛けられた加湿フィルタ４０の厚さ方向の上流側の部分に水が行き亘ることは勿論のこと、その掛けられた水が空気流と共に加湿フィルタ４０の厚さ方向の下流側の部分にも行き亘り、結局、加湿フィルタ４０の厚さ方向の全体に水が行き亘ることになって、大きな加湿量を得ることができる。
【００７３】
また、上記加湿フィルタ４０の厚さ方向の下流側の部分に水を直接掛けないので、加湿フィルタ４０から下流側への水飛びを防止でき、ひいては、ファン２０および吹出口６からの水飛びを防止できる。
【００７４】
図２に示すように、上記水掛装置６０は、加湿フィルタ４０を水トレー９０の水に浸らせない一方、バケット部６１が汲み上げ部９２の水に浸って汲み上げ部９２から水を汲み上げることができるように、その寸法を設定し、かつ、配置している。
【００７５】
このように、上記加湿フィルタ４０は、水トレー９０内の水に浸らないように配置することによって、水掛装置６０の旋回枠６５の停止時には、加湿フィルタ４０にバケット部６１から水が掛けられない上に、加湿フィルタ４０が水トレー９０の水に浸らなくて吸水しないようにして、加湿機能をオフにするようにしている。
【００７６】
したがって、上記ギヤードモータ７４で、旋回枠６５の旋回をオン、オフ制御することによって、加湿機能のオン、オフ制御ができるようになっている。
【００７７】
一方、上記水トレー９０には、図２に示すように、断面逆Ｌ字状の仕切り壁９１を設けて、汲み上げ部９２と非汲み上げ部９３とに仕切っている。上記汲み上げ部９２からバケット部６１が水を汲み上げる。上記非汲み上げ部９３は空気清浄フィルタユニット３０の上流側の空気圧力を受ける。
【００７８】
上記仕切り壁９１の上部は、空気清浄フィルタユニット３０のプレフィルタ３１、イオン化部３２、集塵フィルタ３３および脱臭フィルタ３４の下部に密着していて、空気清浄フィルタユニット３０を通過する空気の抵抗損失によって、非汲み上げ部９３上の空気圧力と汲み上げ部９２上の空気圧力とに差圧が生じるようにしている。
【００７９】
上記非汲み上げ部９３には、フロートスイッチ９４を設けて、非汲み上げ部９３の水位が定常状態よりも一定値だけ低くなると、水タンク１０に水がないことを表す表示または警報を、図示しない表示部または警報部で行うようにしている。
【００８０】
図１３により詳しく示すように、上記水トレー９０には、バケット部６１で水が汲み上げられる幅広の汲み上げ部９２と、空気清浄フィルタユニット３０の上流側の空気圧力を受ける非汲み上げ部９３とを仕切る仕切り壁９１(一部のみを示す)を設け、この仕切り壁９１の下部に通水孔としての横に長い長穴９５を設けている。
【００８１】
これにより、上記ファン２０の回転速度の上昇に応じて、空気清浄フィルタユニット３０の上流側と下流側との差圧が高くなると、この差圧の大きさに応じて、汲み上げ部９２の水位は、非汲み上げ部９３の水位よりも、高くなって、ファン２０に回転速度に応じて、バケット部６１の汲み上げ水量を自動的に調節できるようになっている。
【００８２】
したがって、上記ファン２０に回転速度に応じて、加湿フィルタ４０に対する水掛け量を自動的に調節して、加湿量を簡単に自動的に調節できるようになっている。
【００８３】
上記水トレー９０の仕切り壁９１に設けた横に長い長穴９５は、水位が低くなっても、空気に露出し難い上、非汲み上げ部９３から汲み上げ部９２に迅速に水を供給して、汲み上げ部９２の水位の自動調節の応答速度を速くする。
【００８４】
一方、上記非汲み上げ部９３には、水タンク１０を設置する水タンク設置部９８を設けており、この水タンク設置部９８の底面９８ｂの高さは、非汲み上げ部９３の仕切り壁９１近傍の底面９３ｂの高さよりも高くしている。さらに、上記水タンク設置部９８の周壁には、上端から切欠き１０１を設けている。
【００８５】
これにより、上記ファン２０の回転を停止して、空気清浄フィルタユニット３０の上流側と下流側の差圧がなくなって、汲み上げ部９２から非汲み上げ部９３に水が戻って、非汲み上げ部９３の水位が一定値以上になった場合、非汲み上げ部９３からバッファ水収容部９９へ切欠き１０１を通して水を排出して、非汲み上げ部９３から外部へ水がオーバーフローするのを防止するようにしている。
【００８６】
なお、上記切欠き１０１に代えて、水タンク設置部９８の周壁の上部に貫通穴を設けてもよい。
【００８７】
なお、図４において、１２１は高圧用プリント基板、１２２は臭いセンサ、１２３はストリーマ、１２４は受光部であり、図１３において、９６は抗菌剤のケースを取り付けるための穴、９７はフロート取付穴であり、これらは本願発明の要旨とは関連が薄いので、詳しい説明は省略する。
【００８８】
上記構成の加湿装置は、次のように動作する。
【００８９】
図２および図３に示すように、上記ファン２０をファンモータ２１で駆動し、水掛装置６０の旋回枠６５をギヤードモータ７４で駆動すると、上記ケーシング１の側面３の吸込口５,５から空気が吸い込まれる。この吸い込まれた空気は、水タンク１０の後面１１と空気清浄フィルタユニット３０のプレフィルタ３１との間から、プレフィルタ３１に向けて流れの方向を９０度１回変え、その後、略一直線状に配列された空気清浄フィルタユニット３０のプレフィルタ３１、イオン化部３２、集塵フィルタ３３、脱臭フィルタ３４、加湿フィルタ４０およびファン２０を水平方向に略直線状に流れて、清浄化され、かつ、加湿されて、その後、ファン２０から出るときに、略鉛直上方に流れの方向を９０度１回変えて、ケーシング１の上面の吹出口６から排出される。
【００９０】
このように、この加湿装置では、上記ケーシング１の吸込口５,５から吸い込まれた空気の流れ、つまり、空気流路の屈曲回数は、大略、ケーシング１の側面３の吸込口５,５から空気清浄フィルタユニット３０のプレフィルタ３１への１回とファン２０を出るときの１回との計２回であって、空気流路の屈曲回数が少ないため、通風抵抗が小さい。
【００９１】
また、上記ケーシング１の吸込口５,５から吸い込まれた空気は、水タンク１０の後面１１の両側の傾斜面１２,１２によって、空気清浄フィルタユニット３０のプレフィルタ３１へ向けて徐々に案内されて、急激な方向変化が少ないため、通風抵抗が小さい。
【００９２】
上記空気清浄フィルタユニット３０の脱臭フィルタ３４の上側の部分から出て来る清浄空気は、仕切り板５０で加湿通路５２と仕切られた非加湿通路５１を流れて、加湿フィルタ４０を通過しないで、ベルマウス２３の上側の部分を通って、ファン２０に吸い込まれる一方、脱臭フィルタ３４の下側の部分から出て来る清浄空気は、加湿通路５２を流れて、加湿フィルタ４０を通過して、加湿されて、ベルマウス２３の下側の部分を通って、ファン２０に吸い込まれる。
【００９３】
このように、上記脱臭フィルタ３４の上側の部分からベルマウス２３の上側の部分に至る非加湿通路５１を流れる空気は、加湿フィルタ４０を経由しないので、非加湿通路５１を流れる空気の通風抵抗を低減できる。特に、ギヤードモータ７４を停止して、水掛装置６０の作動を停止して、加湿運転を行わないで、空気清浄運転のみを行っている場合に、この非加湿通路５１の存在により、十分な風量(空気量)を確保できる。
【００９４】
また、上記加湿通路５２を流れる清浄空気は、仕切り板５０により、加湿通路５２から加湿フィルタ４０をバイパスして非加湿通路５１へ流入するのが防止されるため、脱臭フィルタ３４の下側の部分から加湿通路５２に流入した空気の殆どが加湿フィルタ４０を通過する。このように、上記脱臭フィルタ３４からファン２０の近傍まで延びている仕切り板５０によって、加湿通路５２から加湿フィルタ４０をバイパスする空気の流れが防止されるため、大きな加湿量を得ることができる。
【００９５】
図１４の(Ａ)および(Ｂ)は、この実施形態と比較例との加湿量試験結果を示す表およびグラフである。
【００９６】
図１４において、Ｐはこの実施形態を表し、Ｎはこの実施形態から仕切り板５０を除去した点のみがこの実施形態と異なる比較例を表す。
【００９７】
この図１４の(Ａ)および(Ｂ)から分かるように、この実施形態Ｐと比較例Ｎとがファン２０の風量(主流風量)が同じ７.５ｍ３／minで、比較例Ｎでは加湿フィルタ４０を通過する空気量が３.２１ｍ３／minであるのに対して、この実施形態では加湿フィルタ４０を通過する空気量が３.５０ｍ３／minに増大し、また、比較例Ｎでは加湿量が５５６cc／hであるのに対して、この実施形態では加湿量が５９７cc／hに増大した。
【００９８】
この実施形態Ｐの比較例Ｎに対する加湿量の増大の割合は、(５９７−５５６)／５５６＝０．０７４となる。
【００９９】
すなわち、この実施形態Ｐでは、比較例Ｎに比べて、加湿量が、約７％強増大した。
【０１００】
また、上記空気清浄フィルタユニット３０の脱臭フィルタ３４からファン２０の近傍まで延びている仕切り板５０によって、加湿フィルタ４０を出た加湿空気と、非加湿通路５１を流れる非加湿空気との衝突が防止されて、乱流の発生が防止される。その結果、通風抵抗を低減でき、かつ、騒音を低減できる。
【０１０１】
一方、図２,図１０,図１１および図１２に示すように、加湿フィルタ４０は、水掛装置６０のバケット部６１の第１,第２の開口８１,８２から、水が掛けられる。詳しくは、上記ギヤードモータ７４によって、バケット部６１,６１,６１…を有する旋回枠６５が歯車７９を介して、旋回駆動されて、バケット部６１,６１,６１…が水トレー９０の汲み上げ部９２から水を順次汲み上げて、加湿フィルタ４０に水を掛ける。
【０１０２】
また、上記バケット部６１の第１の開口８１から排出された水は、図１０および図１１に示すように、その第１の開口８１の前方に位置する旋回枠６５の輪状円板部６７の部分である壁部７８によって、空気流と共に加湿フィルタ４０よりも後方に行くのが遮られて、加湿フィルタ４０に向けて落下する。
【０１０３】
したがって、上記壁部７８は、加湿フィルタ４０の後方への水飛びを防止して、加湿量を増大でき、かつ、ファン２０および吹出口６からの水飛びを防止できる。
【０１０４】
一方、図２に示すように、上記空気清浄フィルタユニット３０に対する空気のバイパスは、仕切り壁９１により遮られる。この空気清浄フィルタユニット３０のプレフィルタ３１、イオン化部３２、集塵フィルタ３３および脱臭フィルタ３４を通過する空気の抵抗損失によって、空気清浄フィルタユニット３０の上流側と下流側とに圧力差が生じる。この圧力差は、ファン２０の回転速度、つまり、風量の増大に応じて、高くなる。
【０１０５】
上記空気清浄フィルタユニット３０および仕切り壁９１の上流側の圧力は、略大気圧であり、この略大気圧が水トレー９０の非汲み上げ部９３の水に作用する一方、空気清浄フィルタユニット３０および仕切り壁９１の下流側の圧力は、大気圧よりも上記抵抗損失分だけ低い低圧であり、この低圧が水トレー９０の汲み上げ部９２の水に作用する。上記水トレー９０の非汲み上げ部９３の水に作用する略大気圧と汲み上げ部９２の水に作用する低圧とには、上述の圧力差がある。
【０１０６】
一方、上記水トレー９０の非汲み上げ部９３と汲み上げ部９２とは、仕切り壁９１の下部の長穴９５によって互いに連通しているため、水トレー９０の汲み上げ部９２の水位は、非汲み上げ部９３の水位よりも、上述の圧力差分だけ高くなる。この圧力差は、ファン２０の回転速度、つまり、風量の増大に応じて、高くなる。
【０１０７】
そのため、上記汲み上げ部９２の水位は、ファン２０の回転速度、つまり、風量の増大に応じて、高くなる。
【０１０８】
したがって、上記水掛装置６０のバケット部６１は、汲み上げ部９２から、ファン２０の回転速度(風量)の増大に応じて汲み上げ水量が大きくなるように、水を汲み上げて、加湿フィルタ４０に掛けることができる。
【０１０９】
このように、上記ファン２０に回転速度に応じて、汲み上げ部９２の水位が自動的に調節されるから、水掛装置６０の旋回枠６５の回転速度を制御しなくても、風量(空気量)に応じて、加湿フィルタ４０に対する水掛け量を自動的に調節でき、加湿量を簡単に自動的に調節できる。
【０１１０】
この汲み上げ部９２の水位の自動的な調節は、仕切り壁９１の下部の長穴９５を通して、汲み上げ部９２に水を供給して行うため、迅速に、応答性よく行うことができる。特に、空気に露出しにくい横に長い長穴９５を用いているので、この長穴９５を通して迅速に水を供給して、応答性よく、汲み上げ部９２の水位の自動調節を行うことができる。
【０１１１】
次に、上記ファン２０の回転が停止すると、空気清浄フィルタユニット３０の上流側と下流側の差圧がなくなるため、水位が高かった汲み上げ部９２から水位が低かった非汲み上げ部９３に水が戻って、非汲み上げ部９３の水位が一定値以上になる場合がある。
【０１１２】
この場合、非汲み上げ部９３からバッファ水収容部９９へ切欠き１０１を通して水が排出されるため、非汲み上げ部９３から外部へ水がオーバーフローすることがない。
【０１１３】
図１５は加湿フィルタ４０が取り付けられた水掛装置６０の斜視図を示している。図１５に示すように、円板形状の加湿フィルタ４０は、水掛装置６０の旋回枠６５の輪状円板部６７の内周に取り付けられている。そして、旋回枠６５の中心のボス部６６が加湿フィルタ４０の中心に設けられた穴(図示せず)を貫通して、加湿フィルタ押さえ用のフランジ部１１０aが設けられた軸部１１０を、旋回枠６５のボス部６６に設けられた穴に貫通させて加湿フィルタ４０を旋回枠６５に固定している。
【０１１４】
また、図１６は水トレー９０に水掛装置６０が取り付けられた状態の斜視図を示している。水トレー９０の汲み上げ部９２側に取り付けられた支持脚部６３は、上部にＵ字形状の軸受部６４を有している。上記支持脚部６３の軸受部６４により旋回枠６５のボス部６６に貫通させた軸部１１０を旋回自在に支持している。ここで、旋回枠６５の外周の歯車７９にギヤ１３０が噛合し、ギヤ１３０にギヤードモータ７４の出力軸を連結している。
【０１１５】
図１７はギヤ１３０の斜視図を示している。このギヤ１３０は、図１７に示すように、複数の歯１３２が外周に形成された有底の円筒部１３１と、上記円筒部１３１の底部の一例としての円板部１３３の中央から開口側に延び、ギヤードモータ７４(図１８に示す)の出力軸７４cが挿入かつ連結された軸部１３４と、上記軸部１３４を囲うように円板部１３３に立設され、円筒部１３１の開口まで軸方向外側に向かって延びた円筒形状のリブ１３５とを有している。
【０１１６】
また、図１８はギヤ１３０が取り付けられたギヤードモータ７４の斜視図を示している。図１８において、７３a,７３bはギヤードモータ７４に設けられた接続端子である。
【０１１７】
次に、図１９はギヤードモータ７４に取り付けられた状態のギヤ１３０の断面図を示している。
【０１１８】
図１７に示すように、このギヤ１３０の円筒部１３１の歯の間に溜まった水滴が落下しても、円筒形状のリブ１３５の外周に沿って流れ落ちて、ギヤ１３０の円筒部１３１下端から落ちる。これにより、水掛装置６０の旋回枠６５(図１５,図１６に示す)を回転させるギヤードモータ７４の出力軸にギヤ１３０を介して水滴が伝わるのを防いで、ギヤードモータ７４内部への水の侵入を防止することができる。
【０１１９】
また、上記ギヤ１３０の円筒形状のリブ１３５の根元側かつそのリブ１３５の外周側にエッジに表面張力により水が溜まり、そのエッジに沿って水が下方に案内されて流れ落ちるので、ギヤードモータ７４の出力軸にギヤ２３０を介して水滴が伝わるのをより確実に防止することができる。
【０１２０】
図２０はギヤードモータ７４に取り付けられた状態の他の例のギヤ２３０の断面図を示している。このギヤ２３０は、図２０に示すように、複数の歯２３２が外周に形成された有底の円筒部２３１と、上記円筒部２３１の底部の一例としての円板部２３３の中央から開口側に延び、ギヤードモータ７４(図１８に示す)の出力軸７４cが挿入かつ連結された軸部２３４と、上記軸部２３４を囲うように円板部２３３に立設された円筒形状のリブ２３５とを有している。
【０１２１】
上記円筒部２３１の円板部２３３のギヤードモータ７４側かつリブ２３５の外周側に、エッジを有する環状の凹部２３６,２３７を形成している。
【０１２２】
上記環状の凹部２３６,２３７のエッジに表面張力により水が溜まり、そのエッジに沿って水が下方に案内されて流れ落ちるので、ギヤードモータ７４の出力軸にギヤ２３０を介して水滴が伝わるのをより確実に防止することができる。
【０１２３】
この実施形態では、ギヤ１３０の軸部１３４を囲うように円板部１３３に立設された円筒形状のリブ１３５は、円筒部１３１の開口まで軸方向外側に向かって延びていたが、少なくとも円筒部の開口よりも軸方向外側に延びたものであればよい。
【０１２４】
図２１は、水掛装置６０の旋回枠６５の斜視図を示しており、旋回枠６５を空気流の下流側を斜め側方から見た図である。また、図２２は水掛装置６０の旋回枠６５の要部断面図を示している。
【０１２５】
図２１,図２２に示すように、旋回枠６５の輪状円板部６７の外周部に形成された歯車７９は、旋回枠側円筒部７９aと、上記旋回枠側円筒部７９aの半径方向外側に配列された複数の歯７９bを有している。
【０１２６】
上記旋回枠６５は、歯車７９の旋回枠側円筒部７９aの一方の端面側から半径方向内側に設けられたフランジ部の一例としての輪状円板部６７と、上記輪状円板部６７の旋回枠側円筒部７９aの内側に軸方向に沿って立設され、旋回枠側円筒部７９aの他方の端面よりも軸方向外側に延びる円筒形状の旋回枠側リブ１４０とを有する。上記旋回枠側円筒部７９aと旋回枠側リブ１４０との間に環状の溝１４１を形成している。
【０１２７】
このように、上記旋回枠６５の歯車７９の歯元側かつ半径方向内側に、環状の溝１４１を設けることによって、水トレー９０から水が旋回枠６５の歯車７９に伝わっても、環状の溝１４１に案内されて下方に流れ落ちるので、歯車７９に付着した水が滴下して風により吹き飛ばされるのを防止することができる。
【０１２８】
上記旋回枠６５の旋回枠側円筒部７９aと旋回枠側リブ１４０との間に環状の溝１４１形成することによって、溝を設けるために新たな部材を追加する必要がなく、さらに、深い環状の溝により多くの水を下方に案内することができる。
【０１２９】
図２３は水掛装置の旋回枠の他の例の要部断面図を示している。図２３に示す旋回枠１６５は、歯車１７９の旋回枠側円筒部１７９aの一方の端面に環状の溝１４２を設けている。
【０１３０】
上記旋回枠１６５によれば、上記旋回枠１６５の歯車１７９の歯１７９bを支えるために必要な旋回枠側円筒部１７９aの一方の端面に環状の溝１４２を設けるので、溝を設けるために新たな部材を追加する必要がない。
【０１３１】
また、上記実施形態の加湿装置では、旋回枠６５の外周部に歯車７９を設け、この歯車７９を駆動するギヤードモータ７４を加湿フィルタ４０と空気流の流れ方向に重ならないよう配置しているので、このギヤードモータ７４が加湿フィルタ４０を通る空気流の邪魔にならなくて、加湿フィルタ４０を通る空気量を増大できて、加湿量を増大できる。
【０１３２】
また、上記実施形態の加湿装置では、加湿フィルタ４０を水トレー９０の汲み上げ部９２内の水に浸らないように配置しているので、ギヤードモータ７４で旋回枠６５の旋回をオン、オフすることによって、加湿機能のオン、オフ制御をすることができる。
【０１３３】
上記実施形態では、吹出口６をケーシング１の上面に設けたが、吹出口をケーシングの側面に設けてもよく、あるいは、ケーシングの上面と側面の両方に設けてもよい。
【０１３４】
また、上記実施形態では、空気清浄フィルタユニット３０は、プレフィルタ３１、イオン化部３２、集塵フィルタ３３および脱臭フィルタ３４を含んでいたが、これらの他、除菌フィルタを含んでいてもよく、あるいは、イオン化部３２や脱臭フィルタ３４等を除去してもよい。例えば、空気清浄フィルタユニットは、プレフィルタと集塵フィルタのみを含んでいてもよく、あるいは、単一のフィルタのみで構成してもよい。あるいは、空気清浄フィルタユニット３０を除去してもよい。
【０１３５】
また、上記実施形態では、仕切り板５０を設けたが、この仕切り板は除去してもよい。
【０１３６】
また、上記実施形態では、加湿部材として、旋回枠６５と共に回転する加湿フィルタ４０を用いたが、これに代えて、水掛装置とは別体の静止した加湿部材を用い、この静止した加湿部材の上流側の部分に、水掛装置の旋回枠に設けたバケット部から水を掛けるようにしてもよい。
【０１３７】
また、上記実施形態では、バケット部６１の第１,第２の開口８１,８２近傍の加湿フィルタ４０側の内面６２が空気流の上流側が下になるように傾斜しているという構成と、バケット部６１の開口８１が加湿フィルタ４０の厚さ方向の上流側の部分に対応しているという構成との両方の構成を備えているが、一方のみの構成を備えていてもよく、あるいは、両方の構成を備えていなくてもよい。また、上記保持部７５および壁部７８も、除去してもよい。
【０１３８】
また、上記実施形態では、水トレー９０に仕切り壁９１を設けて、汲み上げ部９２と非汲み上げ部９３とに仕切り、仕切り壁９１の下部に通水孔としての長穴９５を設けたが、通水孔は一個または複数のスリットまたは丸穴であってもよい。
【０１３９】
また、上記実施形態では、水トレー９０に、汲み上げ部９２と非汲み上げ部９３とを仕切る仕切り壁９１を設け、この仕切り壁９１に通水孔を設けて、風量に応じて、汲み上げ部９２の汲み上げ水量を自動的に調節するようにしたが、仕切り壁９１を取り除いて、水位の自動調節機能をなくしてもよい。
【０１４０】
また、上記実施形態では、非汲み上げ部９３の水位が予め定められた一定値以上になると、非汲み上げ部９３から切欠き１０１を通して水が流入するバッファ水収容部９９を設けているが、このバッファ水収容部９９および切欠き１０１を除去してもよい。
【０１４１】
さらに、上記実施形態では、空気清浄フィルタユニット３０と加湿フィルタ４０とを備えたについて説明したが、空気清浄フィルタユニットを備えていない加湿装置にこの発明を適用してもよい。
【図面の簡単な説明】
【０１４２】
【図１】この発明の加湿装置の１実施形態の斜視図である。
【図２】上記実施形態の加湿装置の縦断面図である。
【図３】上記実施形態の加湿装置の横断面図である。
【図４】上記実施形態の加湿装置の前面パネルを取り外して水タンク側から見た正面図である。
【図５】比較例を示す模式図である。
【図６】上記実施形態の加湿装置のファンと加湿フィルタと仕切り板との関係を示す模式図である。
【図７】上記実施形態の加湿装置の加湿フィルタとベルマウスと仕切り板との関係を示す模式図である。
【図８】変形例の加湿フィルタとベルマウスと仕切り板との関係を示す模式図である。
【図９】水掛装置を正面から見た図である。
【図１０】旋回枠の斜視図である。
【図１１】旋回枠の要部を示す斜視図である。
【図１２】バケット部を示す斜視図である。
【図１３】水トレーの斜視図である。
【図１４】図１４の(Ａ)および(Ｂ)は、上記実施形態の加湿装置と比較例との加湿量試験結果を示す表およびグラフである。
【図１５】加湿フィルタが取り付けられた水掛装置の斜視図である。
【図１６】水トレーに水掛装置が取り付けられた状態を示す斜視図である。
【図１７】ギヤの斜視図である。
【図１８】ギヤが取り付けられたギヤードモータの斜視図である。
【図１９】ギヤードモータに取り付けられた状態のギヤの断面図である。
【図２０】ギヤードモータに取り付けられた状態の他の例のギヤの断面図である。
【図２１】水掛装置の旋回枠の斜視図である。
【図２２】水掛装置の旋回枠の要部断面図である。
【図２３】水掛装置の旋回枠の他の例の要部断面図である。
【符号の説明】
【０１４３】
１  ケーシング
３  前面パネル
５  吸込口
６  吹出口
１０  水タンク
１１  後面
１２  傾斜面
２０  ファン
２３  ベルマウス
３０  空気清浄フィルタユニット
３１  プレフィルタ
３２  イオン化部
３３  集塵フィルタ
３４  脱臭フィルタ
４０  加湿フィルタ
５０  仕切り板
５１  非加湿通路
５２  加湿通路
６０  水掛装置
６１  バケット部
６２  内面
６２ａ  縁
６５,１６５  旋回枠
６６  ボス部
６７  輪状円板部
６８  アーム部
６９  リング部
７１  内フランジ部
７２  内面
７４  ギヤードモータ
７４c  出力軸
７５  保持部
７６  内周面
７７  面
７８  壁部
７９,１７９  歯車
７９a,１７９a  歯
７９b,１７９b  旋回枠側円筒部
８１  第１の開口
８２  第２の開口
８９  リブ部
９０  水トレー
９１  仕切り壁
９２  汲み上げ部
９３  非汲み上げ部
９５  長穴
９６  穴
９７  フロート取付穴
９８  水タンク設置部
９９  バッファ水収容部
１０１  切欠き
１１０  軸部
１１４  埃センサ
１２１  高圧用プリント基板
１２２  臭いセンサ
１３０,２３０  ギヤ
１３１,２３１  円筒部
１３２,２３２  歯
１３３,２３３  円板部
１３４,２３４  軸部
１３５,２３５  リブ
１４０  旋回枠側リブ
１４１,１４２  溝
【図１】
2010054099.tif 000003
【図２】
2010054099.tif 000004
【図３】
2010054099.tif 000005
【図４】
2010054099.tif 000006
【図５】
2010054099.tif 000007
【図６】
2010054099.tif 000008
【図７】
2010054099.tif 000009
【図８】
2010054099.tif 000010
【図９】
2010054099.tif 000011
【図１０】
2010054099.tif 000012
【図１１】
2010054099.tif 000013
【図１２】
2010054099.tif 000014
【図１３】
2010054099.tif 000015
【図１４】
2010054099.tif 000016
【図１５】
2010054099.tif 000017
【図１６】
2010054099.tif 000018
【図１７】
2010054099.tif 000019
【図１８】
2010054099.tif 000020
【図１９】
2010054099.tif 000021
【図２０】
2010054099.tif 000022
【図２１】
2010054099.tif 000023
【図２２】
2010054099.tif 000024
【図２３】
2010054099.tif 000025